(57)【要約】【課題】  固定位置のリスニングポイントにおいて複数個のスピーカからの音声を受け取り、それらの音声の位相のズレ及び音圧レベルの差を解析する音響解析装置において、リスニングポイントから各スピーカの位置を確実に特定し、且つ、それらのスピーカからの音声にリスニングポイントで位相のズレ及び音圧レベルの差があればその位相のズレ及び音圧レベルの差を解消するように各スピーカのその配置の位置での音声の出力を自動的に制御することを目的とする。【解決手段】  スピーカ４，５，６，７からの解析用音声を、マイクロホン８，９，１０で集音し、スピーカ位置検出部１１がその集音結果からリスニングポイントに対する各スピーカの配置位置を求め、本来の配置の位置に対応せずに配置されたスピーカには、音声パラメータ算出部１２と音声補正制御部１３が共働してその配置の位置から対応する音声を出力させる構成とした。【選択図】  図３
2007281789.tif 000002
【特許請求の範囲】
【請求項１】
複数個のスピーカから解析用音声を出力させ、その解析用音声を集音してリスニングポジションと各スピーカの位置を解析し、前記リスニングポジションに対して各スピーカから出力する音声を制御させる音響解析装置であって、
上記複数個のスピーカからそれぞれ解析用音声を出力させるためのアンプと、
上記リスニングポジションに対する配置の位置が特定され、前記アンプによる前記複数個のスピーカからの解析用音声を集音する３個以上のマイクロホンと、
その３個以上のマイクロホンが集音した音声を解析して、前記リスニングポイントに対
する各スピーカの位置を求めるスピーカ位置算出部と、
その求めた各スピーカの位置に基づいて前記各スピーカからそれぞれ出力させる音声の
位相に係る遅延及び音圧レベルを含む音声パラメータを算出する音声パラメータ算出部と、
リスニングポイントに対する各スピーカの配置されている位置を特定し、更に、その配
置すべき位置に対応すべきスピーカが配置されずに誤ったスピーカが配置された場合に、
その配置位置を誤って配置されたスピーカに、その配置の位置に対応した本来の正しい位相及び音圧レベルに補正された音声を生成して出力する補正音声生成部と、
が備えられてなる音響解析装置。 
【請求項２】
音声データが記録された再生用媒体を再生するプレーヤ又は／及び音声に係る放送を受信するレシーバ手段からの音声に係る電気信号を音声で出力する音声再生出力装置に組み込まれてなる請求項１に記載の音響解析装置。
【発明の詳細な説明】
【技術分野】
【０００１】
リスナーがオーディオ装置やホームシアター等において複数個のスピーカから音声を聴く際、各スピーカから音声がリスナーに伝わるまでに時間を要するので、リスナーが各スピーカからの音声をバランスよく聴くにはリスナーまでの距離が意味を持つことになる。  つまり、各スピーカからの音声がリスナーに到着した際に、各スピーカからの音声で位相が一致せずに位相に差があると、リスナーにとってそれらの音声は調和した音声として聴くことができず、寧ろそれらの音声を楽しむことができないものになる。
【０００２】
殊に、今日の高品質なサラウンドの音声等を聴き楽しむ場合では、当然、各スピーカからの音声に位相上の差がなくリスナーに到達することを前提としているので、リスナーにとってはより一層深刻な問題になる。
又、各スピーカからの音声の音量に係る音圧レベルもリスナーにとって、同様に大きな意味を持つ。
【０００３】
つまり、リスナーに届いた各スピーカからの音声はリスナーにとってバランスよく聴くことができるように、各スピーカからの音声に係る音圧レベルがリスニングポイントで揃っていることが必要である。殊に、その時のアンプの出力は再生する曲によって調節する場合が多いので、このアンプの出力に対応させて、各スピーカからの音声の音量に係る音圧レベルをその都度調節することが必用である。
そこで、リスニングポイントにおいて、各スピーカからの音声に位相差がなく、且つ、音圧レベルが揃っている状態を得るために、各スピーカから解析用の音声を出力させ、その各スピーカからの解析用の音声をリスニング・ポイントにおいて測定・解析する。
【０００４】
そして、リスニング・ポイントで得られる解析用の音声についての測定・解析の結果に基づいて、リスニングポイントに対する各スピーカの位置、各スピーカから出力される音声の遅延の調整、各スピーカからの音声の音圧レベルの調整等を行っている。
この発明は、リスナーが固定のリスニング・ポイントにおいて複数個のスピーカからの音声をバランスよく聴くために、スピーカから解析用の音声を出力させ、その解析用の音声をマイクロホンが集音し、その集音した解析用の音声の測定・解析を自動的に行う音響解析装置に関する。
ここで、固定のリスニング・ポイントとは、スピーカに対して一定の地点であることを意味し、リスニング・ポイントが移動することはない。
【背景技術】
【０００５】
リスナーが複数個のスピーカからの音声をバランスよく聴くために、スピーカから解析用の音声を出力させ、その解析用の音声をマイクロホンが集音測定し、その集音測定の結果に基づいて音響解析を行い、更には、その音響解析に基づいて音場を自動的に補正を行う音響解析装置として、以下の文献が知られている。
【０００６】
【特許文献１】特開２００４−１５９０３７号公報
【発明の開示】
【発明が解決しようとする課題】
【０００７】
特開２００４−１５９０３７号公報で開示されている自動音響調節システム（以下、従来発明技術と称する）では、複数個のスピーカに対して唯一個のマイクロホンを備え、そのマイクロをリスニングポイントに位置して複数個のスピーカからの音声を集音させ、この集音によって音響解析のためのデータの測定を行う構成になっている。
従って、斯かる構成による音響解析では、測定対象となる複数個のスピーカからマイクロホンつまりリスニングポイントまでの距離と、それら複数個のスピーカから出力される音声間の位相ズレ、例えば、右スピーカと左スピーカからの音声の位相のズレつまりマイクロホンまでの到達時間の差については確かに測定結果を得ることができる。
【０００８】
そして、この測定結果に基づいてそのマイクロホンの位置と各スピーカの位置との距離を算出し、更にその算出結果に基づいて遅延装置やイコライザによって音場補正を行うことは可能である。
しかしながら、従来発明技術は、各スピーカの位置からマイクロホンの位置までのそれぞれの距離とリスニングポイントにおける各スピーカからの音声間の位相ズレしか測定・解析ができない。
【０００９】
従って、例えば、本来はリスニングポイントに対して前方に設置すべきフロントスピーカを後方に設置した場合や本来は右側に設置すべき右スピーカを左側に設置した場合等にであっても、各スピーカを本来の所定の位置に設置した場合と同じ測定結果を得ることになり、スピーカの本来の配置位置を知ることができないという問題が生じることになる。
更に、各スピーカが本来の所定の位置に設置されていない場合では、アンプから各スピーカへの出力の割り付けが誤って行われる場合が生じる。
【００１０】
斯かる場合では、リスナーは各スピーカが本来の所定の位置に設置されていないことに気付かずにリスニングを続けることになるという問題が生じる。
又、リスナーが、各スピーカが本来の所定の位置に設置されていないということに気付いても、各スピーカがアンプから本来受けるべきレベルの信号を受けるように配線をし直すなどの煩雑な作業が生じるという問題がある。
【００１１】
この発明は上記の事情に鑑みてなされたものであり、リスニングポイントに対して各スピーカの位置が特定でき、この位置の特定によって、リスニングポイントにおける各スピーカからの音声の位相のズレ及び音圧レベルの補正が可能で、且つ、各スピーカが本来の所定の位置に設置されていない場合であってもアンプから本来受けるべきレベルの信号を簡便に受け取ることを可能にする音響解析装置を提供するものである。
【課題を解決するための手段】
【００１２】
この発明は、各スピーカからの解析用の音声を少なくとも３個のマイクロホンを用いて集音し、その集音の結果からリスニングポイントに対するスピーカの配置の位置を求め、各スピーカが本来配置されるべき位置に対応せずに異なるスピーカを配置した場合には、当該配置の位置から本来出力されるべき音声をその本来配置されるとは異なるスピーカから出力させるように構成した音響解析装置である。
【００１３】
その詳細な構成は、複数個のスピーカから解析用音声を出力させ、その解析用音声を集音してリスニングポジションと各スピーカの位置を解析し、前記リスニングポジションに対して各スピーカから出力する音声を制御させる音響解析装置であって、
上記複数個のスピーカからそれぞれ解析用音声を出力させるためのアンプと、上記リスニングポジションに対する配置の位置が特定され、前記アンプによる前記複数個のスピーカからの解析用音声を集音する３個以上のマイクロホンと、その３個以上のマイクロホンが集音した音声を解析して、前記リスニングポイントに対する各スピーカの位置を求めるスピーカ位置算出部と、その求めた各スピーカの位置に基づいて前記各スピーカからそれぞれ出力させる音声の位相に係る遅延及び音圧レベルを含む音声パラメータを算出する音声パラメータ算出部と、リスニングポイントに対する各スピーカの配置されている位置を特定し、更に、その配置すべき位置に対応すべきスピーカが配置されずに誤ったスピーカが配置された場合に、その配置位置を誤って配置されたスピーカに、その配置の位置に対応した本来の正しい位相及び音圧レベルに補正された音声を生成して出力する補正音声生成部と、が備えられてなる音響解析装置である。
【００１４】
この発明の発明者は、上述した問題、つまり、各スピーカとリスニングポイントの間の距離及びリスニングポイントにおいて各スピーカからの音声の位相差とか分からないことにより、各スピーカを配置すべき本来の位置及び各スピーカを本来の所定の位置に設置されていない場合のアンプの各スピーカへの出力の割り付けを得ることができないという問題に対して鋭意に創意を重ね、リスニングポイントに対する各スピーカの配置されている真の位置を見出すのに必要な条件を求めた。
続いて、当該発明者は、各スピーカがその時点で配置されている位置における本来の出力を得ることを考えた。
【００１５】
まず最初に、リスニングポイントに対する各スピーカが配置されている位置を検出するには、上述したように従来技術発明の１個のマイクロホンでは各スピーカの位置を検出できないことから、各スピーカからの解析用音声をより多くのマイクロホンで受けると、各スピーカの位置を検出できると考えられる。
ここで、集音用のマイクロホンは数が少ないほど、装置としても構成が簡便であって取り扱いも煩雑にならないことが分かる。
【００１６】
そこで、リスニングポイントに対する各スピーカの配置の位置を確実に求める得るために、マイクロホンの最少の必要数を求めた。
まず、１個のマイクロホンを使用する場合は、従来技術発明の問題で示すように、リスニングポイントに対する各スピーカの配置の位置を知ることはできない。
【００１７】
次に、２個のマイクロホンを使用することによって、リスニングポイントに対する各スピーカの配置の位置を知ることができるか否かを検討する。
図１に示すように、リスニングポイントＬＰに対して左右に距離ａだけ離隔させた点に集音用マイクロホンＭ１，Ｍ２を配置する。ここで、リスニングポイントＬＰの前方に位置するスピーカＳＰ１から音声を出力させると、二つのマイクロホンＭ１，Ｍ２はスピーカＳＰ１からの距離がそれぞれＬ１，Ｌ２であることを検出する。
【００１８】
このことから、２個のマイクロホンＭ１，Ｍ２からの距離がそれぞれＬ１，Ｌ２である点（位置）としてスピーカＳＰ１を設置している位置が特定される。
しかしながら、二つのマイクロホンＭ１，Ｍ２に対して距離がそれぞれＬ１，Ｌ２である点（位置）はもう一つある。
【００１９】
この発明では、マイクロホンの配置の位置に基づいてスピーカが配置されている位置を求めるものであるから、二つのマイクロホンＭ１，Ｍ２からの距離がそれぞれＬ１，Ｌ２にあるＳＰ１とＳＰ２のいずれからの音声であるかを特定することはできない。
従って、２個のマイクロホンＭ１，Ｍ２によって、スピーカの設置されている唯一つの位置を特定することができないことになる。
【００２０】
続いて、３個のマイクロホンを使用することによって、リスニングポイントに対する各スピーカの配置の位置を知ることができるか否かを検討する。
図２に示すように、リスニングポイントＬＰに対して左右に距離ａだけ離隔させた点及びリスニングポイントＬＰに対して前方に距離ａだけ離隔させた点にそれぞれ集音用マイクロホンＭ１，Ｍ２，Ｍ３を配置する。ここで、リスニングポイントＬＰの前方に位置するスピーカＳＰ１から音声を出力させると、３個のマイクロホンＭ１，Ｍ２，Ｍ３はスピーカＳＰ１からの距離がそれぞれＬ１，Ｌ２，Ｌ３であることを検出する。
【００２１】
このことから、３個のマイクロホンＭ１，Ｍ２，Ｍ３からの距離がそれぞれＬ１，Ｌ２，Ｌ３である点として、スピーカＳＰ１が設置されている位置が唯一つ特定される。
従って、３個のマイクロホンＭ１，Ｍ２，Ｍ３又は３個以上のマイクロホンを使用して集音音声出力のスピーカの設置位置を求めると、唯一つの設置位置が特定することが可能になる。
【発明の効果】
【００２２】
この発明は、スピーカからの解析用音声を３個以上のマイクロホンで集音することにより、その集音によってスピーカの配置の位置を確実に特定すること可能であり、各スピーカが所定の位置に配置されていない場合には、その所定の位置から出力されるべき音声が自動的に得られるので、アンプから各スピーカへの出力の割り付けが誤って行われる場合であってもリスニングポイントにおいて位相差がなく且つ音圧レベルに問題のない所望通りの音声を得ることを可能にする音響解析装置である。
【発明を実施するための最良の形態】
【００２３】
この発明を、図面に示す最良の形態に基づき説明する。しかし、この形態によって、この発明が限定されるものではない。
音響解析装置１は、図３に示すように、音声再生出力装置Ｐに組み込まれている。
音声再生出力装置Ｐは、プレーヤ２が備えられ、再生用媒体であるＣＤ、ＭＤ、ＤＶＤ等から音声データを再生して、音声で出力するものである。
【００２４】
音響解析装置１は、アンプ３と、スピーカ４，５，６，７と、マイクロホン８，９，１０と、スピーカ位置算出部１１と、音声パラメータ算出部１２と、音声補正制御部１３及び操作表示部１４が備えられている。
アンプ３は、そのもの単独で解析用音声に係る電気信号を所望の音圧レベルに増幅してスピーカ４，５，６，７に出力するものである。
アンプ３は、プレーヤ２からの再生信号を入力して増幅し、所望の音圧レベルで及び位相ズレに対し所望の時間だけ遅延させてスピーカ４，５，６，７に出力させることが可能な構成になっている。
【００２５】
スピーカ４，５，６，７は、図４に示すように、リスニングポイントＬＰを取り囲むようにして配置されている。
マイクロホン８，９，１０はそれぞれ、リスニングポイントＬＰに対して左に距離ａだけ離隔させ、右に距離ａだけ離隔させ、前方に距離ａだけ離隔させて配置されている。
【００２６】
スピーカ位置算出部１１は、リスニングポイントＬＰに対する各スピーカの位置、つまり、各音声がどの位置から出力されて来るかを算出するものである。
スピーカ位置算出部１１は、スピーカ４，５，６，７からの音声出力をマイクロホン８，９，１０で受け取ることによって、リスニングポイントＬＰに対する各スピーカを算出するが、その算出の方法は以下の通りである。
【００２７】
論理の展開を簡単にするために、リスニングポイントＬＰをｘ−ｙ平面上の原点とすると、マイクロホン８は原点からｘ方向に−ａだけ離れた位置にあるからその座標は（−ａ，０）、マイクロホン９は原点からｘ方向にａだけ離れた位置にあるからその座標は（ａ，０）、マイクロホン１０は原点からｙ方向にａだけ離れた位置にあるからその座標は（０，−ａ）である。
次に、スピーカ４，５，６，７の座標をそれぞれ（ｘ１，ｙ１），（ｘ２，ｙ２），（ｘ３，ｙ３），（ｘ４，ｙ４），とおく。
【００２８】
ここで、スピーカ４とマイクロホン８，９，１０との距離ｌ１，ｌ２，ｌ３にと置くと、三平方の定理より次式が成り立つ。
（ｘ１＋ａ）２＋ｙ１２＝ｌ１ ２
（ｘ１−ａ）２＋ｙ１２＝ｌ２ ２
ｘ１２＋（ｙ１−ａ）２＝ｌ３ ２
【００２９】
ここで、距離ｌ１，ｌ２，ｌ３ の値は、解析用音声の出力からマイクロホン８，９，１０の受け取りに基づいて知ることができるから、リスニングポイントＰＬからの各スピーカの座標（ｘ，ｙ）つまり配置した位置を算出して求めることが可能になる。
同様にして、リスニングポイントＬＰに対するスピーカ５，６，７の位置を算出して得ることが可能である。
スピーカ位置算出部１１は、上述したように、マイクロホン８，９，１０がスピーカ４，５，６，７からの解析用音声を受け取って算出することで、リスニングポイントＬＰに対して各スピーカがどの位置あるかを求めることが可能である。
【００３０】
音声パラメータ算出部１２は、スピーカ位置算出部１１の後段に接続され、スピーカ位置算出部１１によって求めたリスニングポイントＬＰに対するスピーカ４，５，６，７の各位置に基づいて、それら各スピーカからの音声がリスニングポイントＰＬにおいて位相差がなくバランスのとれた音声として受け取れるように、各スピーカからそれぞれ出力させる音声の位相に係る遅延及び音圧レベルを含む音声パラメータを算出するものである。
つまり、従来技術発明であれば、例えばスピーカ４からの音声もスピーカ６からの音声もリスニングポイントＬＰで受け取った場合に区別できない場合があったが、音響解析装置１は各スピーカのリスニングポイントＬＰに対する位置が特定可能である。
【００３１】
そして、音声パラメータ算出部１２は、その特定された配置の位置からのスピーカ４，５，６，７の出力のパラメータを算出するので、アンプ３のスピーカ４，５，６，７への音声信号の出力を特定することが可能になる。
補正音声生成部１３は、音声パラメータ算出部１２の後段に接続され、リスニングポイントＰＬに対するスピーカ４，５，６，７の配置されている位置が特定され、更に、その配置の位置にスピーカが対応されずに配置されず誤ったスピーカが配置された場合に、つまり、誤って例えばスピーカ４の配置の位置においてスピーカ６からの出力を、且つ、スピーカ６の位置においてスピーカ４からの出力が行われるように設定されていた場合に、その配置の位置に対応した本来の正しい位相及び音圧レベルに補正された音声を生成して出力するものである。
【００３２】
操作表示部１４は、音響解析装置１及び音声再生出力装置Ｐの出力・停止の操作、及び、操作設定内容、現時点での機能状態等の表示を行うためのものである。
操作表示部１４は、具体的には、解析用音声を出力させるための制御信号をアンプ３に送ること等を行って、音響解析装置１の出力・停止を行う。
又、操作表示部１４は、アンプ３から響解析装置１が出力している旨の信号を受けて、表示によってユーザーに音響解析装置１の出力を視覚的に知らせる。
【００３３】
他方、操作表示部１４は、プレーヤ２及びアンプ３に出力させるための制御信号を送ること等を行って、音声再生出力装置Ｐの出力・停止を行う。
操作表示部１４は、プレーヤ２及アンプ３から音声再生出力装置Ｐが出力している旨の信号を受けて、表示によってユーザーに音声再生出力装置Ｐの出力を視覚的に知らせる。
【００３４】
音響解析装置１は、上述したように構成されている。以下において、音響解析装置１及び音声再生出力装置Ｐの作用を説明する。
ユーザーは、リスニングポイントＬＰに対するスピーカ４，５，６，７の各配置の位置を確認する。
次に、操作表示部１４を操作して、音響解析装置１の電源をＯＮにする（図５のＳ１）。
【００３５】
スピーカ４は、アンプ３から解析用音声に係る電気信号を受けると、音声に変換して出力する（同図のＳ２）。
ここで、このスピーカ４からの解析用音声を、マイクロホン８，９，１０が順次集音してスピーカ位置検出部１１に送り、スピーカ位置検出部１１はスピーカ４とマイクロホンの８，９，１０とのそれぞれの距離を求めてその値を保持する（同図のＳ３）。
【００３６】
同様にして、スピーカ位置検出部１１は、スピーカ５，６，７に対してもマイクロホンの８，９，１０とのそれぞれの距離を求めてその値を保持する。
ここで、スピーカ位置検出部１１は、上述した方法に基づいて、スピーカ４，５，６，７とマイクロホン８，９，１０との距離から、リスニングポイントＰＬに対するスピーカ４，５，６，７の配置の位置を算出する（同図のＳ４）。
【００３７】
音声パラメータ算出部１２は、スピーカ位置算出部１１の算出したリスニングポイントＬＰに対するスピーカ４，５，６，７の現時点におけるそれぞれの位置からの音声出力に対し、リスニングポイントＰＬにおいて位相差がなくバランスのとれた音声として受け取れるように、スピーカ４，５，６，７からそれぞれ出力させる音声の位相に係る遅延及び音圧レベルを含む音声パラメータを算出する。
つまり、斯かる音声出力を満たすように、アンプ３からスピーカ４，５，６，７への音声信号の割付けを算出する（同図のＳ５）。
【００３８】
より具体的には、図６に示すように、ｍ番目スピーカについてそのｘ座標の値が０に等しい若しくは０より大きいか否か？の判別を行い（同図のＳ６）、Ｎｏであればｍ番目スピーカをリスニングポイントＰＬの左側に設定し（同図のＳ７）、ＹｅｓであればリスニングポイントＰＬの右側に設定し（同図のＳ８）する。
続いて、ｍ番目スピーカについてそのｙ座標の値が０に等しい若しくは０より大きいか否か？の判別を行い（同図のＳ９）、ＮｏであればスピーカｍをリスニングポイントＰＬの後方（リア）に設定し（同図のＳ１０）、ＹｅｓであればリスニングポイントＰＬの前方（フロント）に設定する（同図のＳ１１）。
以下、同様にして、他の全てのスピーカについても、音声信号の割付けのための設定を行う（同図のＳ１２）。
【００３９】
音声補正制御部１３は、音声パラメータ算出部１２の音声信号の割付け結果を入力し、スピーカ４，５，６，７がそれぞれその内容に対応して音声の出力を行うように、アンプ３に出力制御の信号を送る。
ここで、再生音声出力装置Ｐとしてのアンプ３は、スピーカ４，５，６，７に出力すべき音声信号の音圧レベル及び位相差を生じさせないための遅延の程度が調節された状態になる。
【００４０】
ユーザーは、操作表示部１４を操作して、アンプ３を出力状態にしてからプレーヤ２を出力させる。プレーヤ２は、ＣＤを再生して、音声に係る再生の電気信号をアンプ３に送る。
アンプ３は、プレーヤ２からの音声に係る再生の電気信号を入力すると、音声補正制御部１３によって調節された音圧レベル及び遅延の程度に対応して増幅を行って、スピーカ４，５，６，７に出力する。
【００４１】
スピーカ４，５，６，７はそれぞれ、音声補正制御部１３の調節に対応した音圧レベル及び遅延の程度であってアンプによって増幅された音声に係る再生の電気信号を入力すると、音声に変換して出力する。
ここで、スピーカ４，５，６，７から出力される音声はそれぞれ、音声補正制御部１３の調節に対応した音圧レベル及び遅延の程度であってアンプによって増幅された音声に係る再生の電気信号に基づくものであるから、スピーカ４，５，６，７の現時点の配置の位置から出力させた際にリスニングポイントＬＰにおいて音圧レベル及び位相差に問題のない音声が得られることになる。
【００４２】
音響解析装置１では、３個のマイクロホン８，９，１０をそれぞれリスニングポイントＬＰに対して左方に距離ａだけ離れた点に、右方に距離ａだけ離れた点に、前方に距離ａだけ離れた点に配置している。
しかし、これらの点は計算の説明を簡単に明示できるために選んだに過ぎず、音響解析装置１では、任意の点を選んだ場合でも各スピーカが配置されている位置を求めることができ、結果的に各スピーカからの音響の解析及び各スピーカから出力させるべき音声信号を設定し、音声再生出力装置ＰはリスニングポイントＬＰにおいて音圧レベル及び位相差に問題のない音声を供給することができる。
【００４３】
音響解析装置１では、４本のスピーカ４，５，６，７のリスニングポイントＬＰに対する位置を求めているが、５本以上のスピーカについてもリスニングポイントＬＰに対する位置を求めることが可能であり、結果的に５本以上の各スピーカから出力させるべき音声信号を設定し、音声再生出力装置ＰはリスニングポイントＬＰにおいて音圧レベル及び位相差に問題のない音声を供給することができる。
【００４４】
音響解析装置１は３個のマイクロホン８，９，１０を備えた構成であるが、４個以上のマイクロホンを備えた構成であってもよい。
音声再生出力装置Ｐにはプレーヤ２が備えられ、再生用媒体のＣＤ、ＭＤ、磁気テープ等から音声データを再生し、スピーカ４，５，６，７のそれぞれの出力に対応するようにアンプ３で前記音声データに係る電気信号を増幅して出力するが、レシーバ機能を備え受信のデータ信号を増幅しスピーカ４，５，６，７からそれぞれリスニングポイントＬＰにおいて音圧レベル及び位相差に問題のない音声にして出力させることも可能である。
【００４５】
音響解析装置１では、再生用媒体として音声についてのみ説明してきたが、例えばＤＶＤ用媒体のように音声と画像が互いに対応して再生される構成の再生装置についても、リスニングポイントＬＰにおいて音圧レベル及び位相差に問題のない音声を出力させることに使用することが可能である。
【００４６】
音響解析装置１は、前述したように、３個のマイクロホン８，９，１０を備えて構成されている。
これは、図２で説明したように、スピーカＳＰ１の配置の位置を特定するためにマイクロホンＭ１，Ｍ２，Ｍ３を必要とすることに基づくものであり、且つ、スピーカ４，５，６，７を通常オーディオルーム内に配置した場合、各スピーカの音声の発生位置がほぼ同じ高さであることから、上下方向の位置を考えずにリスニングポイントＬＰに対する水平方向の位置だけを考慮しているからである。
然るに、スピーカの音声の発生位置が上下方向で意味を持つ場合、つまり、水平位置は同じであって高さ方向が異なる位置に配置された複数個のスピーカの配置の位置を求める場合に対しては、この発明の音響解析装置は対応した数のマイクロホンを用いて各スピーカの位置を求めることになる。
【図面の簡単な説明】
【００４７】
【図１】この発明の原理に関し、２個のマイクロホンを用いて音響解析する場合では、音源のスピーカが配置されている位置を特定できないことを説明する構成説明である。
【図２】この発明の原理に関し、３個のマイクロホンを用いて音響解析する場合には、音源のスピーカが配置されている位置を特定できることを説明する構成説明である。
【図３】この発明の最良の実施の一形態が音声再生出力装置に組み込まれている場合の構成を説明するブロック図である。
【図４】図３に示す実施の形態例を用いて、リスニングポイントに対する各スピーカの配置の位置を検出する原理を説明する構成説明図である。
【図５】図３に示す実施の形態を用いて、音場の測定を行う順序を説明するフローチャートである。
【図６】図５に示すフローチャートにおけるスピーカ出力の割付けの順序をより詳細に説明するフローチャート図である。
【符号の説明】
【００４８】
Ｐ              ：音声再生出力装置
１              ：音響解析装置
２              ：プレーヤ
３              ：アンプ
４，５，５，７  ：スピーカ
８，９，１０    ：マイクロホン
１１            ：スピーカ位置検出部
１２            ：音声パラメータ算出部
１３            ：音声補正制御部
１４            ：操作表示部
【図１】
2007281789.tif 000003
【図２】
2007281789.tif 000004
【図３】
2007281789.tif 000005
【図４】
2007281789.tif 000006
【図５】
2007281789.tif 000007
【図６】
2007281789.tif 000008